(57)【要約】【課題】  液晶モニターを使用しない場合には机全体が使用可能となるようにすることを課題とする。【解決手段】  机（１０）の机板（１１）の適当な位置に１つの設置槽（１２）が設けられ、設置槽（１２）内の机板（１１）と同じ高さの位置に１つの固定板（２０）が設置される。固定板（２０）は定位部を具備することにより、液晶モニター（３０）を固定設置される。固定板（２０）後端は枢接端（２１）であり、前端は開閉端（２２）であり、枢接端（２１）下方を枢支点（Ａ）として固定板（２０）を机板（１１）上方に開閉させることにより、固定板（２０）に設置された液晶モニター（３０）を露出させたり、或いは机板（１１）内に収納したりすることが可能である。固定板（２０）の開閉動作は駆動装置（４０）によりなされる。【選択図】  図１
0003112525.tif 000002
【実用新案登録請求の範囲】
【請求項１】
机（１０）の机板（１１）の適当な位置に１つの設置槽（１２）が設けられ、設置槽（１２）内の机板（１１）と同じ高さの位置に１つの固定板（２０）が設置され、該固定板（２０）は定位部を具備することにより、任意の物品を固定設置することができ、固定板（２０）後端は枢接端（２１）であり、前端は開閉端（２２）であり、枢接端（２１）下方を枢支点（Ａ）として固定板（２０）を机板（１１）上方に開閉させることにより、固定板（２０）に設置された物品を露出させたり、或いは机板（１１）内に収納したりすることができ、該固定板（２０）の開閉動作は駆動装置（４０）の取り付け及び連結により達成し、機械式駆動により机の開閉蓋を行なうことを特徴とする机の開閉蓋構造。
【請求項２】
該固定板（２０）は、液晶モニター（３０）、本、工具箱、又は写真フレームを固定設置することが可能である構成としたことを特徴とする請求項１記載の机の開閉蓋構造。
【請求項３】
該設置槽（１２）は、穴形状であることを特徴とする請求項１記載の机の開閉蓋構造。
【請求項４】
該設置槽（１２Ｂ）は、内凹槽形状であることを特徴とする請求項１記載の机の開閉蓋構造。
【請求項５】
該固定板（２０）の定位部は、底端の嵌合設置部（２３）及び上端の制限架（２４）により構成してあることを特徴とする請求項１記載の机の開閉蓋構造。
【請求項６】
該制限架（２４）は、上下に移動可能であり、上下に移動することにより高さの調整を行なうことができることを特徴とする請求項５記載の机の開閉蓋構造。
【請求項７】
該固定板（２０）の枢接端（２１）の液晶モニター（３０）を設置する側に、該固定板（２０）と垂直に１つの副板体（２５）が設置され、該副板体（２５）は固定板（２０）が垂直に開いた使用状態のとき、設置槽（１２）の机板（１１）内の空間を塞ぐことができ、これにより固定板（２０）を使用しているときでも机（１０）の机板（１１）は平面状態を保持することができることを特徴とする請求項１又は請求項３記載の机の開閉蓋構造。
【請求項８】
該固定板（２０）の駆動装置は、１つの彎曲アーム（４１）と１組の電動伸縮ロッド（４２）とから構成され、該彎曲アーム（４１）の第一端（４１１）は固定板（２０）の枢接端（２１）に固定設置され、彎曲アーム（４１）の第二端（４１２）は電動伸縮ロッド（４２）の伸縮ロッド（４２１）端部と枢軸固定され、
且つ、彎曲アーム（４１）の枢支点は固定板（２０）の枢接端（２１）の枢支点（Ａ）と共通であり、上記構造により、電動伸縮ロッド（４２）の伸縮ロッド（４２１）が伸縮するとき、彎曲アーム（４１）が枢支点（Ａ）を中心として時計回り、或いは反時計回りに回転し、連動する固定板（２０）を開閉させることができることを特徴とする請求項１記載の机の開閉蓋構造。
【考案の詳細な説明】
【技術分野】
【０００１】
本考案は机の開閉蓋構造に係り、特に、任意の物品（例：液晶モニター（３０）等）を固定設置することができる一種の機械式駆動による机の開閉蓋構造に関する。
【背景技術】
【０００２】
本考案は一種の机に関するもので、コンピューター机についていえば、コンピューターの普及に伴い必需品となっており、又、そのデザインは初期のものは一般的な机にキーボード、マウス、コンピューター本体、プリンター等のコンピューター設備を付設しただけの構造であり、その後、従来の箱型モニター（ＣＲＴ）設置に伴う空間の浪費を改善する為にモニター収納式机が開発された。
【考案の開示】
【考案が解決しようとする課題】
【０００３】
しかし、その後、液晶モニターが出現し、机上の設置空間を大幅に減らすことが可能になったが、使用しない時、液晶モニターを机の上に設置したままの状態では机全体を使用することは不可能であり、研究が進められている。
【０００４】
従って、従来の机は実際使用するときに実用性に欠けるという問題を解決した構造の一種の机を開発するかが、関係業界では開発目標となっている。
【０００５】
本考案者は上記課題に取り組み、関係する製品の開発及び設計に従事し、上記の目標に焦点をしぼり、研究を行ない、設計もより精密になり、試験と評価を繰り返し、ついに実用性のある本考案が完成した。
【０００６】
本考案は、上記課題を解決した机の開閉蓋構造を提供することを目的とする。
【課題を解決するための手段】
【０００７】
本考案は、机（１０）の机板（１１）の適当な位置に１つの設置槽（１２）が設けられ、設置槽（１２）内の机板（１１）と同じ高さの位置に１つの固定板（２０）が設置され、該固定板（２０）は定位部を具備することにより、任意の物品を固定設置することができ、固定板（２０）後端は枢接端（２１）であり、前端は開閉端（２２）であり、枢接端（２１）下方を枢支点（Ａ）として固定板（２０）を机板（１１）上方に開閉させることにより、固定板（２０）に設置された物品を露出させたり、或いは机板（１１）内に収納したりすることができ、該固定板（２０）の開閉動作は駆動装置（４０）の取り付け及び連結により達成し、一種の機械式駆動により机の開閉蓋を行なうことを特徴とする。
【考案の効果】
【０００８】
本考案は一種の机の開閉蓋構造を提供するもので、机（１０）の机板（１１）の適当な位置に１つの設置槽（１２）が設けられ、設置槽（１２）内の机板（１１）と同じ高さの位置に１つの固定板（２０）が設置され、該固定板（２０）は定位部を具備することにより、液晶モニター（３０）を固定設置することが出来る。
【考案を実施するための最良の形態】
【０００９】
次に本考案の実施の形態について説明する。
【実施例１】
【００１０】
本考案の構造の特徴及びその効果を以下に実施例とそれに合わせた図式及び詳細な説明を列挙し、本考案の長所を詳述する。
【００１１】
図１は本考案の実施例１になる机（１０）の立体透視図である。図２は本考案の固定板（２０）使用状態の立体図である。図３は本考案の駆動装置（４０）の立体分解図である。図４は本考案の固定板（２０）の閉蓋状態を示す図である。
【００１２】
図１、図２、図３及び図４に示す如く、本考案の机の開閉蓋構造の実施例において、机（１０）の机板（１１）の適当な位置に１つの設置槽（１２）が設けられ、設置槽（１２）内の机板（１１）と同じ高さの位置に１つの固定板（２０）が設置され、該固定板（２０）は定位部を具備することにより、任意の物品（例：液晶モニター（３０）等）を固定設置することができ、固定板（２０）後端は枢接端（２１）であり、前端は開閉端（２２）であり、枢接端（２１）下方を枢支点（Ａ）として固定板（２０）を机板（１１）上方に開閉させることにより、固定板（２０）に設置された物品を露出させたり、或いは机板（１１）内に収納したりすることができ、固定板（２０）の開閉動作は駆動装置の取り付け及び連結により達成することができ、上記構造により一種の機械式駆動による机の開閉蓋構造を提供することができる。
【００１３】
上記構造中、固定板（２０）の定位部は底端の嵌合設置部（２３）及び上端の制限架（２４）により構成されてもよく、又、制限架（２４）は上下に移動させることができ、これにより高さの調整を行なうことができ、異なるブランドの液晶モニター（３０）を固定設置することができる。
【００１４】
図１乃至図４に示す如く、設置槽（１２）は穴形状でもよく、或いは図７に示す如く、底部に承置面（１３）を具備する内凹槽形状の設置溝（１２Ｂ）でもよい。穴形状の場合には、固定板（２０）の枢接端（２１）の液晶モニター（３０）を設置する側に、固定板（２０）と垂直に１つの副板体（２５）が設置され、副板体（２５）は固定板（２０）が使用状態（即ち、図５に示すように垂直に開いた状態）のとき、図６に示すように、設置槽（１２）の机板（１１）内空間を塞ぐことができ、塞ぐことにより固定板（２０）使用時でも机（１０）の机板（１１）は平面状態を保持することができる。なお、図７に示すように、内凹槽型状の設置溝（１２Ｂ）の構成の場合、机板（１１）下方に副板体（２５）を取り付ける必要がないため、図８に示すようにキーボード用引き出し（５０）或いは引き出し等を取り付けることができる。
【００１５】
上記構造中、固定板（２０）の駆動装置（４０）は、１つの彎曲アーム（４１）と、１組の電動伸縮ロッド（４２）とから構成される。彎曲アーム（４１）の第一端（４１１）は固定板（２０）の枢接端（２１）に固定設置され、彎曲アーム（４１）の第二端（４１２）は電動伸縮ロッド（４２）の伸縮ロッド（４２１）端部と枢軸固定してある。また、彎曲アーム（４１）の枢支点は固定板（２０）の枢接端（２１）の枢支点（Ａ）と共通であり、彎曲アーム（４１）と固定板（２０）の枢支点（Ａ）は同一である。上記構造により、その動作状況は図４に示す如く、電動伸縮ロッド（４２）の伸縮ロッド（４２１）が伸展するとき、図４に示すように、枢支点（Ａ）を中心として彎曲アーム（４１）が時計回りに回転し、固定板（２０）が下向きに連動回転し、机板（１１）が閉蓋する。また、図５に示す如く、電動伸縮ロッド（４２）の伸縮ロッド（４２１）を収縮させるとき、枢支点（Ａ）を中心として彎曲アーム（４１）が反時計回りに回転し、連動する固定板（２０）及び固定板（２０）上に固定設置された液晶モニター（３０）が上向きに回転し、直立状態となって開蓋状態になる。即ち、液晶モニター（３０）はこれが前向きとなる開閉動作の構成としてある。
【００１６】
上記物品は、液晶モニター（３０）、本、工具箱、写真フレーム等である。
【００１７】
図９及び図１０は本考案の固定板（２０）の構造形態のもう１つの実施例である。
【００１８】
固定板（２０）及び定位部（嵌合設置部（２３）及び制限架（２４）よりなる）は前述実施例とは反対の構造形態の固定板（２０Ｂ）でもよい。この場合には、図１０に示すように、上記構造により設置される物品は使用時に、後向きの開閉動作を行なう構造形態となる。なお、前述実施例は前向きの開閉動作の構造形態である。
【００１９】
本考案は一種の机の開閉蓋構造を提供するもので、机（１０）の机板（１１）の適当な位置に１つの設置槽（１２）が設けられ、設置槽（１２）内の机板（１１）と同じ高さの位置に１つの固定板（２０）が設置され、固定板（２０）は定位部を具備することにより、任意の物品（例：液晶モニター（３０）等）を固定設置することが出来る。また、１つの彎曲アーム（４１）と１組の電動伸縮ロッド（４２）とから構成される駆動装置（４０）により一種の機械式駆動による机の開閉蓋構造を提供することが出来る。上記構造により固定板（２０）に設置された物品を素早く、且つ、楽に露出させたり、或いは収納させたりすることができる。
【００２０】
上記は本考案の考案実施例について本創作の技術及び特徴を具体に説明するもので、熟知した技術者が本創作の延長線上で修正作業を行なっても本創作の権利範囲内である。
【図面の簡単な説明】
【００２１】
【図１】本考案の実施例１になる机（１０）の立体透視図である。
【図２】本考案の固定板（２０）使用状態の立体図である。
【図３】本考案の        の立体分解図である。
【図４】本考案の固定板（２０）の閉蓋状態を示す図である。
【図５】本考案の固定板（２０）の開蓋状態を示す図である。
【図６】本考案の固定板（２０）が開蓋した状態で設置槽（１２）に副板体（２５）が設置された状態を示す図である。
【図７】本考案の設置槽（１２）に内凹槽形状を採用した場合の断面図である。
【図８】本考案の机（１０）の机板（１１）下方にキーボード用引き出し（５０）を取り付けた構成を示す図である。
【図９】本考案の固定板（２０）の別の構造形態の閉蓋状態を示す図である。
【図１０】開蓋状態を示す図である。
【符号の説明】
【００２２】
１０  机
１１  机板
１２  設置槽
１３  承置面
２０  固定板
２１  枢接端
２２  開閉端
２３  嵌合設置部
２４  制限架
２５  副板体
３０  液晶モニター
４０  駆動装置
４１  彎曲アーム
４１１  第一端
４１２  第二端
４２  電動伸縮ロッド
４２１  伸縮ロッド
５０  キーボード用引き出し
Ａ  枢支点
【図１】
0003112525.tif 000003
【図２】
0003112525.tif 000004
【図３】
0003112525.tif 000005
【図４】
0003112525.tif 000006
【図５】
0003112525.tif 000007
【図６】
0003112525.tif 000008
【図７】
0003112525.tif 000009
【図８】
0003112525.tif 000010
【図９】
0003112525.tif 000011
【図１０】
0003112525.tif 000012